(57)【特許請求の範囲】
【請求項１】
各々のブロックがインタ−モードまたはイントラ−モードである同一の大きさを有する複数の前記ブロックからなる入力ディジタル映像信号から伝送する符号化された映像信号を提供するディジタル化された映像信号符号器で用いるためのイントラ−ブロックＤＣ変換係数量子化方法において、
前記入力ディジタル映像信号に含まれた前記複数のブロック各々をインタ−ブロックまたはイントラ−ブロックＡＣおよびＤＣ変換係数のセットに変換する段階と、
前記インタ−ブロックまたはイントラ−ブロックＡＣおよびＤＣ変換係数のセットからイントラ−ブロックＤＣ変換係数を選択する段階と、
前記選択されたイントラ−ブロックＤＣ変換係数のうち、一定の個数のイントラ−ブロックＤＣ変換係数の値の大きさに基づいて、イントラ−ブロックＤＣ変換係数が小さい領域ではイントラ−ブロックＤＣ量子化器ステップ大きさを小さく決定し、イントラ−ブロックＤＣ変換係数が大きい領域ではイントラ−ブロックＤＣ量子化器ステップ大きさを大きく決定する段階と、
前記イントラ−ブロックＤＣ量子化器ステップ大きさを用いて前記一定の個数のイントラ−ブロックＤＣ変換係数各々から量子化されたイントラ−ブロックＤＣ変換係数を発生する段階とを含むイントラ−ブロックＤＣ変換係数量子化方法。
【請求項２】
前記一定の個数が４個である請求項１記載のイントラ−ブロックＤＣ変換係数量子化方法。
【請求項３】
前記イントラ−ブロックＤＣ量子化器ステップ大きさが前記一定の個数のイントラ−ブロックＤＣ変換係数に含まれたイントラ−ブロックＤＣ変換係数の最大値が１ないし２５５である場合は１と、２５６ないし５１０である場合は２と、５１１ないし１０２０である場合は４とし、１０２１ないし２０４０である場合は８と決定される請求項２記載のイントラ−ブロックＤＣ変換係数量子化方法。
【発明の詳細な説明】
【０００１】
【産業上の利用分野】
本発明は映像信号を符号化するための方法に関するもので、とくに、人間の視覚特性によってイントラ−ブロック（ｉｎｔｒａ−ｂｌｏｃｋ）  ＤＣ変換係数の量子化器ステップ大きさ（ｑｕａｎｔｉｚｅｒ  ｓｔｅｐ  ｓｉｚｅ）  を調節することによって伝送される映像の質を保持して伝送効率を向上させるためのイントラ−ブロックＤＣ変換係数量子化方法に関する。
【０００２】
【従来の技術および発明が解決しようとする課題】
高精度テレビジョンおよび映像電話器システムのような多様な電気／電子活用分野において、映像信号はディジタル化された形態で伝送される。連続的な映像フレームを含む映像信号がディジタル化された形態で表現されれば、各映像フレームの各々の走査線が画素と呼ばれる一連のディジタルデータ要素からなるので、相当な量のディジタルデータが発生する。しかし、通常の伝送チャネルの利用可能な周波数帯域は制限されているので、相当の量のディジタルデータを制限されたチャネルを通じて伝送するためには、伝送されるデータの量を減らしあるいは圧縮するために映像信号符号化装置の使用が必要である。
【０００３】
通常、映像信号は一つのフレーム内の画素間および隣接フレームなどの内の画素のあいだに相関関係または冗長性（ｒｅｄｕｎｄａｎｃｙ）があるので、画質を激しく損傷させることなく圧縮されうる。多様な映像圧縮技法のうち、時間的圧縮技法および空間的圧縮技法を統計的符号化技法と共に用いる、いわゆる、ハイブリッド符号化技法が最も効果的であると知られている。
【０００４】
大部分のハイブリッド符号化技法は、適応的インタ／イントラ−モード（ｉｎｔｅｒ／ｉｎｔｒａ−ｍｏｄｅ）  符号化、直交変換（ｏｒｔｈｏｇｏｎａｌ  ｔｒａｎｓｆｏｒｍ）、変換係数の量子化および可変長さ符号化を採用する。適応的インタ／イントラ−モード符号化は、後続の直交変換のための信号を、たとえば、信号の分散に基づいて現在フレームのパルス符号化変調（ＰＣＭ）  データまたは差分パルス符号変調（ＤＰＣＭ）データから適応的に選択するプロセスである。予測方法とも呼ばれ、隣接フレーム間の冗長性を減少させる概念に基づいたインタ−モード符号化は、現在フレームと隣接した一つまたは二つのフレーム間での物体の動きを決定し、物体の動き流れによって現在フレームを予測し、現在フレームとその予測とのあいだの差分を表す差分信号を発生するプロセスである。この符号化方法は、たとえば、ステファン  エリクソン（ｓｔａｆｆａｎ  Ｅｒｉｃｓｓｏｎ）  の「フィクスド  アンド  アダプティブ  プレディクターズ  フォア  ハイブリッド  プレディクティブ／トランスフォーム  コーディング（Ｆｉｘｅｄ  ａｎｄ  Ａｄａｐｔｉｖｅ  Ｐｒｅｄｉｃｔｏｒｓ  ｆｏｒ  Ｈｙｂｒｉｄ  ｐｒｅｄｉｃｔｅｖｅ／Ｔｒａｎｓｆｏｒｍ  Ｃｏｄｉｎｇ）  」（アイイーイーイー  トランザクションズ  オン  コミュニケーションズ（ＩＥＥＥ  Ｔｒａｎｓａｃｔｉｏｎｓ  ｏｎ  Ｃｏｍｍｕｎｉｃａｔｉｏｎｓ）  、ＣＯＭ−３３、Ｎｏ  １２、１９８５年１２月）およびニノミヤ（Ｎｉｎｏｍｉｙａ）とオオツカ（Ｏｈｔｓｕｋａ）  の「ア  モーション−コンペンセイティド  インターフレーム  コーディング  スキーム  フォア  テレビジョンピクチャー（Ａ  Ｍｏｔｉｏｎ−Ｃｏｍｐｅｎｓａｔｅｄ  Ｉｎｔｅｒｆｒａａｍｅ  Ｃｏｄｉｎｇ  Ｓｃｈｅｍｅ  ｆｏｒ  Ｔｅｌｅｌｅｖｉｓｉｏｎ  Ｐｉｃｔｕｒｅ）  」（アイイーイーイー  トランザクションズ  オン  コミニュケーションズ（ＩＥＥＥ  Ｔｒａｎｓａｃｔｉｏｎｓ  ｏｎ  Ｃｏｍｍｕｎｉｃａｔｉｏｎｓ）、ＣＯＭ−３０、Ｎｏ  １、１９８２年１月）に開示されている。
【０００５】
現在フレームのパルス符号変調データおよび動き補償された差分パルス符号変調データのような映像データのあいだの空間的な相関関係を用いて、そのデータ間の空間的な冗長性を減少または除去させる直交変換は、ディジタル映像データのブロックを変換係数のセットに変換させる。この技法はチェン（Ｃｈｅｎ）およびプラット（Ｐｒａｔｔ）  の「シーン  アダプティブ  コーダ（Ｓｃｅｎｅ  Ａｄａｐｔｉｖｅ  Ｃｏｄｅｒ）」（アイイーイーイー  トランザクションズ  オン  コミュニケーションズ（ＩＥＥＥ  Ｔｒａｎｓａｃｔｉｏｎｓ  ｏｎ  Ｃｏｍｍｕｎｉｃａｔｉｏｎｓ）  、ＣＯＭ−３２、Ｎｏ  ３、１９８４年３月）に開示されている。かかる変換係数データを量子化および可変長さ符号化することによって、伝送されるデータの量が効率的に圧縮されうる。
【０００６】
具体的に、離散的コサイン変換（ＤＣＴ）  のような直交変換において、映像データは、たとえば、８×８画素となったブロックである同じ大きさのブロックに分割され、各ブロックは空間ドメインから周波数ドメインに変換される。よって、一つのＤＣ変換係数と、多数（たとえば、６３個）のＡＣ変換係数がえられる。そのブロックのＤＣ変換係数はそのブロックの画素の平均信号の大きさを反映する。イントラ−モード入力映像信号は通常、０から２５５までのあいだの値を有するので、イントラ−ブロックＤＣ変換係数は１１ビットと表されうる０から２０４０までの範囲を有し、イントラ−ブロックＡＣ変換係数は、約−１０００から１０００までの値を有する。−２５５から２５５までの値を有するイントラ−モード映像信号のばあい、ＡＣおよびＤＣ変換係数は約−２０００から２０００までの値を有する。
【０００７】
直交変換からえられる直交変換係数は量子化される。量子化において、小さい量子化器ステップ大きさ（または、量子化ステップ大きさ）は、多数のコードビットを必要とする多量のデータをなし、大きい量子化器ステップ大きさは、小さい数のコードビットを必要とする小量のデータをなす。多量のコードビットは小量のコードビットより映像をさらに精密に表すことができるので、伝送チャネルに付加されるデータの量と伝送された映像の質とのあいだにはトレードオフの関係があることになる。
【０００８】
通常、多様な量子化器ステップ大きさの制御方法がこの分野に提案されているが、これらの方法において、量子化器ステップ大きさの制御は通常、インタ−ブロックＤＣおよびＡＣ、イントラ−ブロックＡＣ変換係数に対する量子化器ステップ大きさの制御を意味する。かかる量子化器ステップ大きさの制御は、バッファメモリに現在貯蔵されているデータの量および入力映像信号の複雑度に基づく。また、高周波数に対する人間の視覚感度が低いことを用いて、認知される映像の質を損傷させることなく、高周波数の直交変換係数に対して大きい量子化器ステップ大きさが用いられうる。同じように、直交変換係数のうち、最も低い周波数に対応するＤＣ係数の量子化において最も小さい量子化器ステップ大きさが用いられる。
【０００９】
しかし、前述した従来技法において、量子化器ステップ大きさは、インタ−ブロックＡＣおよびＤＣ係数とイントラ−ブロックＡＣ係数に対してだけ適応的に調節されるイントラ−ブロックＤＣのばあいには、ＭＰＥＧ（Ｍｏｖｉｎｇ  Ｐｉｃｔｕｒｅｓ  Ｅｘｐｏｒｔ  Ｇｒｏｕｐ）−１標準に提示されるように、相対的に小さい、たとえば、８である固定されたステップ大きさで量子化されるかまたはＭＰＥＧ−２標準でのように、たとえば、１、２、４または８の、多様なステップ大きさがピクチャー（ｐｉｃｔｕｒｅ）  単位で適応的に調節される。ここで、ピクチャーは映像信号のフィールドまたはフレームを意味する。すなわち、イントラ−ブロックＤＣ係数は、たとえば、映像の明るさのような入力映像信号の複雑度に関係なく最少限ピクチャー内では一括的に量子化されて、たとえば、ブロッキング（区画）効果によって映像の質を落とすことがある。ブロッキング効果とは受信端でブロッキングの境界線が見える効果を言う。フレームが色々のブロッキング単位で符号化されるので、かかるブロッキング効果は発生し、量子化器ステップ大きさが大きくなるほど、すなわち、ブロッキングが荒く量子化されるにつれてさらに深刻になる。したがって、もしある区画が隣接した区画などよりずっと明るいかまたは暗い、イントラ−ブロックＤＣ係数が固定された大きい量子化器ステップ大きさによって量子化されれば、その区画と隣接ブロックとのあいだの明るさの差は非常に大きくなり、結局ブロッキング効果などをもたらして画質を落とすことになる。
【００１０】
前述したように、イントラ−ブロックＤＣ係数の値は、１１ビットで表現される。したがって、その１１ビットイントラ−ブロックＤＣ係数が量子化器ステップ大きさ１と量子化されれば、最大イントラ−ブロックＤＣ係数２０４０を１で割っても２０４０であるので、１１ビットが量子化された係数を表すのに必要となる。反面、イントラ−ブロックＤＣ係数がステップ大きさ２で量子化されれば、最大イントラ−ブロックＤＣ係数２０４０を２で割ると１０２０であるので、量子化された係数は１０ビットで表現され、ステップ大きさが４であるばあい、９ビットが必要となり、ステップ大きさが８であるばあいは、２０４０を８で割ると２５５であって８ビットになる。
【００１１】
結果的に、従来技術で用いた方法などは伝送するデータの量が少なければブロッキング効果が発生して伝送画質がわるくなる。よって、画質を良好にするためには伝送するのに必要なデータの量が増加して符号化効率を落とすジレンマに突き当たることになる。
【００１２】
したがって、本発明の目的は人間の視覚特性によって適応的にイントラ−ブロックＤＣ変換係数を量子化して前述したブロッキング効果を除去するか大幅に緩和させ、伝送チャネルに付加されるデータの量を増加させなくても認知される伝送映像の質を改善させる方法を提供することである。
【００１３】
【課題を解決するための手段】
各々のブロックがインタ−モードまたはイントラモードである同一の大きさを有する複数の前記ブロックからなる入力ディジタル映像信号から伝送する符号化された映像信号を提供するディジタル化された映像信号符号器で用いるためのイントラ−ブロックＤＣ変換係数量子化方法において、前記入力ディジタル映像信号に含まれた前記複数のブロック各々をインタ−ブロックまたはイントラ−ブロックＡＣおよびＤＣ変換係数のセットに変換する段階と、前記インタ−ブロックまたはイントラ−ブロックＡＣおよびＤＣ変換係数のセットからイントラ−ブロックＤＣ変換係数を選択する段階と、前記選択されたイントラ−ブロックＤＣ変換係数のうち、一定の個数のイントラ−ブロックＤＣ変換係数の値の大きさに基づいて、イントラ−ブロックＤＣ変換係数が小さい領域ではイントラ−ブロックＤＣ量子化器ステップ大きさを小さく決定し、イントラ−ブロックＤＣ変換係数が大きい領域ではイントラ−ブロックＤＣ量子化器ステップ大きさを大きく決定する段階と、前記イントラ−ブロックＤＣ量子化器ステップ大きさを用いて前記一定の個数の各々から量子化されたイントラ−ブロックＤＣ変換係数を発生するステップとを含むイントラ−ブロックＤＣ変換係数量子化方法が提供される。
【００１４】
【実施例】
図１は、ディジタル化された映像信号符号化装置のブロック図を示す。入力ディジタル映像信号は直交変換器１０および前進分析器（ｆｏｒｗａｒｄ  ａｎａｌｙｚｅｒ）７０に入力される。入力ディジタル映像信号は各々のブロックが８×８画素のインタ−モード映像信号またはイントラ−モード映像信号である同じ大きさの多数のブロックを含む。
【００１５】
前進分析器７０は、入力ディジタル映像信号を分析して映像信号の分散から映像信号の複雑度を決定して複雑度係数を量子化器制御器６０へ伝送する。
【００１６】
映像信号の画素データを空間ドメインから周波数ドメインに転換する直交変換器１０は８×８画素の各々の同じ大きさのブロックに一つのＤＣ係数および６３個のＡＣ係数を含む変換係数のセットを提供する。量子化ブロック２０で量子化される係数がイントラ−モード映像信号ブロックから発生したイントラ−ブロックＤＣ係数、イントラ−ブロックＡＣ係数のうちの、一つまたはインタ−モード映像信号ブロックから発生されたインタ−ブロックＡＣ／ＤＣ係数中の一つであるかを表すために、係数表示信号も量子化ブロック２０へ出力される。
【００１７】
たとえば、量子化器スケールである量子化器制御器６０からの制御信号に応答して、量子化ブロック２０は直交変換器１０からのインタ−ブロックＡＣ／ＤＣおよびイントラ−ブロックＡＣ係数のような直交変換係数各々に対する量子化器ステップ大きさを決定して、決定された量子化器ステップ大きさで直交変換係数を量子化する。
【００１８】
イントラ−ブロックＤＣ係数の量子化は、本発明によって行われる。量子化ブロック２０から出力された量子化された変換係数は、可変長さ符号化器３０へ伝送され、また、量子化ブロック２０から出力されたイントラ−ブロックＤＣ量子化器ステップ大きさはマルチプレクサ４０へ伝送される。量子化ブロック２０は図２を参照して、あとで詳述される。
【００１９】
量子化ブロック２０からの量子化された変換係数は、可変長さ符号化器３０で連続的に処理されて、当該技術分野で知られているような可変長さ符号化方法によって符号化される。
【００２０】
マルチプレクサ４０は可変長さ符号化器３０からの可変長さ符号化された係数および量子化器制御器６０からの量子化器スケールおよび量子化ブロック２０からのイントラ−ブロックＤＣ量子化器ステップ大きさのような情報をレートバッファ５０へ伝送する。
【００２１】
可変長さ符号化された係数および量子化器スケール、イントラ−ブロックＤＣ量子化器ステップ大きさのような情報はレートバッファ（ｒａｔｅ  ｂｕｆｆｅｒ）  ５０に一時貯蔵されて、伝送チャネルへ伝送される。現在レートバッファ５０に貯蔵されたビット数は、量子化器制御器６０へ出力され、量子化器制御器６０ではレートバッファ５０からの現在レートバッファ５０に貯蔵されているビット数と前進分析器７０からの複雑度係数に基づいて量子化器スケールが決定される。
【００２２】
図２は、図１に示された、本発明による量子化ブロック２０の詳細図を示す。図１に示された直交変換器１０からの変換係数および係数表示信号が各々スイッチ２２および量子化器選択器２１へ入力される。
【００２３】
量子化器選択器２１は、入力係数表示信号に応答して、変換係数が量子化される量子化器をスイッチ２２が選択するようにする。すなわち、イントラ−ブロックＤＣ変換係数はイントラ−ブロックＤＣ係数量子化器２６およびイントラ−ブロックＤＣ量子化器ステップ大きさ制御部２５へ、イントラ−ブロックＡＣ変換係数各々はイントラ−ブロックＡＣ係数量子化器２４へ、インタ−ブロックＡＣ／ＤＣ変換係数各々はインタ−ブロック量子化器２８へ入力される。
【００２４】
図１に示された量子化器制御器６０からの量子化器スケールは、量子化器ステップ大きさ制御部２３、２７へ入力される。
【００２５】
インタ−ブロック量子化器ステップ大きさ制御部２７は、入力された量子化器スケールを用いて、インタ−ブロックＡＣ／ＤＣ変換係数を量子化するためのインタ−ブロックＡＣ／ＤＣ量子化器ステップ大きさを計算して決定する。詳述すれば、当該技術分野で知られているように、量子化器ステップ大きさは、量子化器スケールおよび同じ値を有するマトリックス要素を有するインタ−ブロック量子化マトリックスからえられる。
【００２６】
イントラ−ブロックＡＣ量子化ステップ大きさ制御部２３は、インタ−ブロック量子化器ステップ大きさ制御部２７と類似な方法でイントラ−ブロックＡＣ係数を量子化するためのイントラ−ブロックＡＣ量子化器ステップ大きさを決定する。しかし、イントラ−ブロックＡＣ量子化マトリックスのマトリックス要素は多様な値を有するので、イントラ−ブロックＡＣ量子化器ステップ大きさはＡＣ変換係数によって異なりうる。
【００２７】
インタ−ブロック量子化器ステップ大きさ制御部２７およびイントラ−ブロックＡＣ量子化器ステップ大きさ制御部２３からの量子化器ステップ大きさは、各々インタ−ブロック量子化器２８およびイントラ−ブロックＡＣ係数量子化器２４へ入力される。その量子化器２８、２４でスイッチ２２から入力された変換係数の値は相応する量子化器ステップ大きさに分けられて最も近い整数に四捨五入されて量子化された変換係数がえられる。
【００２８】
本発明によって、イントラ−ブロックＤＣ変換係数は、ウェーバの法則（Ｗｅｂｅｒ’ｌａｗ）による人間視覚特性を用いてイントラ−ブロックＤＣ量子化器ステップ大きさ制御部２５で決定される多様な量子化器ステップ大きさで量子化される。
【００２９】
図３には、人間の視覚特性が示されている。ウェーバの法則によると、人間の視覚システムはある領域が周囲の領域よりある程度以上明るいかまたは暗ければその領域を区別して認識することができる（ウィリアム  ケー  プラット（Ｗｉｌｌｉａｍ  Ｋ．Ｐｒａｔｔ）  の「デジタル  イメージ  プロセシング（Ｄｉｇｉｔａｌ  Ｉｍａｇｅ  Ｐｒｏｃｅｓｓｉｎｇ）」、ジョン  ウィリー  アンド  サンズ（Ｊｏｈｎ  Ｗｉｌｅｙ  ＆  Ｓｏｎｓ）  （第２版、１９９１年）を参考）。言い替えれば、図３に示したように、もし周辺領域Ａの平均明るさがｆであり、中の領域Ｂの平均明るさがｆ＋Δｆであれば、中の領域Ｂは｜Δｆ｜／ｆの値が０．０２以上である時だけ人間の視覚により区別されて認識される。すなわち、ある領域が認識されるためには、その領域が周辺領域より少なくとも２％以上明るいか暗くなければならない。結果的に、ｆが小さいかまたは平均明るさが低い所ではある物体が周辺より少しでも明るいかまたは暗くても認識し易い反面、ｆが大きいか平均明るさが高ければ物体は周辺領域よりずっと明るいか暗くなければ人間の視覚により認識されえない。
【００３０】
前述した人間の視覚特性を用いて、本発明はブロックの平均明るさを表すイントラ−ブロックＤＣ係数をイントラ−ブロックＤＣ係数の値によって変化する量子化器ステップ大きさを用いて量子化する。その領域の平均明るさが低く暗い領域、すなわち、イントラ−ブロックＤＣ係数が小さい領域では量子化器ステップ大きさが小さく設定されて、人間のより敏感な認識度に符合する精密な量子化が行われる。同じように、平均明るさが高く明るい領域、すなわち、イントラ−ブロックＤＣ係数が大きい明るい領域では量子化器ステップが大きい値と設定されて、人間の認識度が多少鈍感な明るい領域での符号化効率を高めることになる。
【００３１】
イントラ−ブロックＤＣ量子化器ステップ大きさは、ユニット単位で決定される。ユニットには、ブロック、マクロブロックおよびＧＯＢ（ｇｒｏｕｐ  ｏｆ  ｂｌｏｃｋｓ）の三つがある。ブロックは前述したような８×８画素からなったブロックとすることができる。これらのブロック四つは、ＧＯＢ  に含まれた多数のマクロブロックの各々を構成する。いかなるユニットもイントラ−ブロックＤＣ量子化器ステップ大きさの決定に用いられうる。一般に、映像はマクロブロック内で大幅に変化しないので、マクロブロックがイントラ−ブロックＤＣ量子化器ステップ大きさの決定のためのユニットとして選択されば、映像の質を損傷させることなく映像を量子化しうる。
【００３２】
図２をさらに参照すれば、本発明によるイントラ−ブロックＤＣ量子化器ステップ大きさ制御部２５は、スイッチ２２から入力されたイントラ−ブロックＤＣ変換係数に基づいて量子化器ステップ大きさを決定する。換言すれば、イントラ−ブロックＤＣ量子化器ステップ大きさは、マクロブロック内の最大イントラ−ブロックＤＣ係数が１から２５５までの値を有するばあい、１と設定されて、人間視覚システムが敏感で明るさの小さい変化まで感知される相対的に暗いマクロブロック内で非常に精密な量子化が行われうる。同じように、もしマクロブロック内の最大イントラ−ブロックＤＣ係数が２５６から５１０までの値であるばあいは２と、もし５１１から１０２０までの値を量子化器スケールが有するばあいは４と、１０２１から２０４０までの値であるばあいは８と量子化器ステップ大きさが設定される。
【００３３】
前記四つの量子化器ステップ大きさを表すためには、２ビットで表現されうるイントラ−ブロックＤＣ量子化器ステップ大きさは、イントラ−ブロックＤＣ係数量子化器２６へ入力されて、イントラ−ブロックＤＣ量子化器ステップ大きさを決定するのに用いられたマクロブロック内の各々のイントラ−ブロックＤＣ係数は入力された量子化器ステップ大きさに分けられ、最も隣接した整数に四捨五入されて、量子化されたイントラ−ブロックＤＣ変換係数が提供される。かかる量子化器ステップ大きさを用いて０から２０４０までの値をイントラ−ブロックＤＣ係数からえられる量子化されたイントラ−ブロックＤＣ係数を表すために８ビットだけが必要となる。
【００３４】
また、イントラ−ブロックＤＣ量子化器ステップ大きさは、イントラ−ブロックＤＣ量子化器ステップ大きさ制御部２５から図１に示されたマルチプレクサ４０へ出力されて、受信機が受信されたデータを適切に復号化しうるようにする。すなわち、イントラ−ブロックＤＣ変換係数は伝送されたイントラ−ブロックＤＣ量子化器ステップ大きさを用いて伝送された量子化されたイントラ−ブロックＤＣ係数から復号化器で計算されうる。
【００３５】
インタ−ブロック量子化器２８、イントラ−ブロックＡＣ係数量子化器２４およびイントラ−ブロックＤＣ係数量子化器２６からの量子化された変換係数は、図１に示された可変長さ符号化器３０へ出力される。
【００３６】
イントラ−ブロックＤＣ量子化器ステップ大きさは、前述したこととは異なる方式、たとえば、１、２、４、８以外の他の量子化器ステップ大きさを用いるか、本発明の実施例とは異なる範囲のＤＣ変換係数で量子化器ステップ大きさを決定する方式でえられることを特記しなければならない。
【００３７】
【発明の効果】
本発明のイントラ−モード映像信号は、符号化するための方法によって人間の視覚特性が敏感な領域では精密な量子化を行い、多少敏感でない領域では荒い量子化を行うため、全般的な映像の質が向上されうる。また、本発明によって量子化された係数を表すのに８ビットだけが必要であるので、符号化効率が増大し、よって、量子化されたイントラ−ブロックＤＣ係数を表現するのに最大１１ビットが必要な従来のシステムに比べて伝送ラインを通じた伝送データの量が減少されうる。
【図面の簡単な説明】
【図１】映像信号符号化装置の概略図である。
【図２】図１に示された本発明による量子化ブロックの詳細ブロック図である。
【図３】映像の明るさに反応する人間視覚特性を示す図面である。
【符号の説明】
１０  直交変換器
２０  量子化ブロック
２１  量子化器選択器
２２  スイッチ
２３  イントラ−ブロックＡＣ量子化器ステップ大きさ制御部
２４  イントラ−ブロックＡＣ係数量子化器
２５  イントラ−ブロックＤＣ量子化器ステップ大きさ制御部
２６  イントラ−ブロックＤＣ係数量子化器
２７  インタ−ブロック量子化器ステップ大きさ制御部
２８  インタ−ブロック量子化器
３０  可変長さ符号化器
４０  マルチプレクサ
５０  レートバッファ
６０  量子化器制御器
７０  前進分析器
【図１】
0003590421.tif 000002
【図２】
0003590421.tif 000003
【図３】
0003590421.tif 000004